(57)【特許請求の範囲】
【請求項１】
左右方向において互いに対向且つ離間している第１及び第２の外側挿入連結部品を含む外側挿入連結アセンブリと、
前記左右方向において前記第１及び第２の外側挿入連結部品の間に設置され、前後方向において互い違いに配置される第１及び第２の内側挿入連結部品を含む内側挿入連結アセンブリと、
１つのバッテリーを格納するようになっており、前記内側挿入連結アセンブリの前記内側挿入連結部品と、前記第１及び第２の外側挿入連結部品のうちの隣接する１つとの間で画定されるチャンバと
を含み、
前記第１及び第２の外側挿入連結部品に、各々、摺動レール構造を介して隣接する前記第１及び第２の内側挿入連結部品が装着されることを特徴とするバッテリー格納装置。
【請求項２】
複数の前記内側挿入連結アセンブリが、前記第１及び第２の外側挿入連結部品の間に設置され、
前記チャンバが、更に、隣接する前記内側挿入連結アセンブリ間で画定され、隣接する前記内側挿入連結部品が、前記摺動レール構造を介して互いに装着される請求項１に記載のバッテリー格納装置。
【請求項３】
前記摺動レール構造は、摺動溝又は摺動ブロックを含み、
前記第１及び第２の外側挿入連結部品が、各々、前記摺動溝又は前記摺動ブロックを有し、
前記第１及び第２の内側挿入連結部品が、各々、前記左右方向において、一方の側に前記摺動溝を有し、他方の側に前記摺動ブロックを有し、
前記内側挿入連結部品の前記摺動溝に、前記外側挿入連結部品の前記摺動ブロック又は隣接する前記内側挿入連結部品の前記摺動ブロックが装着されるようになっている請求項１から２のいずれかに記載のバッテリー格納装置。
【請求項４】
前記外側挿入連結部品が、
第１の板セグメント及び第２の板セグメントを有する外側側板と、
前記外側側板の前記第１の板セグメントに設置される挿入連結フレームと
を含み、
前記外側挿入連結部品に隣接する前記内側挿入連結アセンブリの前記第１の内側挿入連結部品が、前記外側側板の前記第２の板セグメントに連結され且つ前記挿入連結フレームに対向し、
前記外側挿入連結部品に隣接する前記内側挿入連結アセンブリの前記第２の内側挿入連結部品が、前記挿入連結フレームの前記外側側板から遠い側に連結される請求項３に記載のバッテリー格納装置。
【請求項５】
前記挿入連結フレームが、
前記外側側板の上部に連結され且つ前記外側側板に対して垂直である外側上板と、
前記外側側板の前記第１の板セグメントの前記第２の板セグメントから遠い端部に連結され且つ前記外側側板に対して垂直である外側端板と、
前記外側側板の底部に連結され、前記外側側板に対して垂直であり、且つ前記外側上板に対向する外側底板と
を含む請求項４に記載のバッテリー格納装置。
【請求項６】
前記外側上板及び前記外側底板が、各々、前記外側側板から遠い側に前記摺動溝又は前記摺動ブロックを有し、前記摺動溝又は前記摺動ブロックに、前記外側挿入連結部品に隣接する前記内側挿入連結アセンブリの前記第２の内側挿入連結部品が装着されるようになっている請求項５に記載のバッテリー格納装置。
【請求項７】
前記外側側板の前記第２の板セグメントが、それぞれ、その上部及び底部に前記摺動溝又は前記摺動ブロックを有し、前記摺動溝又は前記摺動ブロックに、前記外側挿入連結部品に隣接する前記内側挿入連結アセンブリの前記第１の内側挿入連結部品が装着されるようになっている請求項５から６のいずれかに記載のバッテリー格納装置。
【請求項８】
前記内側挿入連結部品が、
前記左右方向において、一方の側に前記摺動溝を有し、他方の側に前記摺動ブロックを有する内側上板であって、前記摺動溝及び前記摺動ブロックに、それぞれ、前記外側挿入連結部品又は隣接する前記内側挿入連結部品が装着されるようになっている内側上板と、
前記内側上板の前端又は後端に設置され且つ前記内側上板に対して垂直である内側端板と、
前記内側端板の下端に設置され且つ前記内側端板に対して垂直である内側底板であって、前記左右方向において、一方の側に前記摺動溝を有し、他方の側に前記摺動ブロックを有し、前記摺動溝及び前記摺動ブロックに、前記外側挿入連結部品又は隣接する前記内側挿入連結部品が装着されるようになっている内側底板と、
前記内側上板の前記一方の側又は前記他方の側に設置され、前記内側上板に対して垂直であり、且つ前記内側端板及び前記内側底板に連結される内側バッフル板と
を含む請求項５から７のいずれかに記載のバッテリー格納装置。
【請求項９】
前記内側上板の前記摺動ブロックの延在方向が、前記内側底板の前記摺動ブロックの延在方向とは反対であり、前記内側上板の前記摺動溝が、前記内側底板の前記摺動溝が開口している第２の方向とは反対の第１の方向に開口している請求項８に記載のバッテリー格納装置。
【請求項１０】
前記内側バッフル板が、前記内側端板から離れる方向に開口しているノッチを画定する請求項８から９のいずれかに記載のバッテリー格納装置。
【請求項１１】
複数の保護カバーを更に含み、
前記保護カバーが、前記内側端板に隣接する前記内側挿入連結部品の端部及び／又は前記外側端板に隣接する前記外側挿入連結部品の端部に設置される請求項８から１０のいずれかに記載のバッテリー格納装置。
【請求項１２】
前記内側挿入連結部品の前記内側上板又は前記外側挿入連結部品の前記外側上板が、スロットを画定し、
前記保護カバーが、前記スロットに収まるようになっているスナップ部品をその上端に有し、前記外側端板又は前記内側端板が装着されるようになっているフランジをその下端に有する請求項１１に記載のバッテリー格納装置。
【請求項１３】
取付アセンブリを更に含み、前記取付アセンブリが、前記外側挿入連結部品をそれに隣接する前記内側挿入連結部品に連結するか、又は隣接する前記内側挿入連結部品同士を互いに連結するようになっている請求項１から１２のいずれかに記載のバッテリー格納装置。
【請求項１４】
前記取付アセンブリが、
前記外側挿入連結部品を、前記外側挿入連結部品に隣接する前記内側挿入連結アセンブリの前記第１の内側挿入連結部品に連結するようになっている第１の取付部品と、
４つの隣接する前記内側挿入連結部品を連結する、又は隣接する３つの前記内側挿入連結部品と１つの前記外側挿入連結部品とを連結するようになっている第２の取付部品と
を含む請求項１３に記載のバッテリー格納装置。
【請求項１５】
請求項１から１４のいずれかに記載のバッテリー格納装置と、
前記バッテリー格納装置の前記チャンバ内に格納される前記１つのバッテリーと
を含むことを特徴とするバッテリーモジュール。
【発明の詳細な説明】
【技術分野】
【０００１】
関連出願の相互参照
本願は、中国特許出願第２０１４１０５２２２１５．Ｘ号及び中国特許出願第２０１４２０５６９５３３．７号（２０１４年９月３０日付で中華人民共和国国家知識産権局（ＳＩＰＯ）に出願）の優先権及び利益を主張し、これらの全文を参照により本明細書に援用する。
【０００２】
本開示の実施形態は、一般的に、バッテリーに関し、より詳細には、バッテリー格納装置及びそれを有するバッテリーモジュールに関する。
【背景技術】
【０００３】
関連技術において、パワーバッテリーモジュールは、通常、複板式組立構造又は上下シェル組立構造を備えるバッテリー格納装置を使用する。前述の構造を備えるバッテリー格納装置は、バッテリーの保護には優れているが、複板式組立構造及び上下シェル組立構造の制約により、バッテリーの組合せを自由に拡張することができない。詳細に述べると、バッテリー格納装置の前述の構造は、バッテリーの組合せを変更する場合に再設計する必要があるので、研究開発計画にかかる時間及びコストが大きく増大する。一方、バッテリー格納装置の前述の構造は、パワーバッテリーモジュールの自動生産には寄与せず、これによってパワーバッテリーモジュールの生産コストが増大する可能性があるので、製品の競争上の優位性が失われる。
【発明の概要】
【発明が解決しようとする課題】
【０００４】
これらに鑑みて、本開示は、当技術分野に存在する少なくとも１つの問題を解決することを目的とする。この理由から、本開示は、拡張及び組立が容易であるバッテリー格納装置を提供する。
【課題を解決するための手段】
【０００５】
また、本開示は、拡張性が高く、研究開発コストが低く、且つ開発にかかる時間が短いバッテリーモジュールを提供する。
【０００６】
本開示の第１の態様の実施形態は、バッテリー格納装置を提供する。バッテリー筐体は、左右方向において互いに対向且つ離間している第１及び第２の外側挿入連結部品を含む外側挿入連結アセンブリと、左右方向において前記第１及び第２の外側挿入連結部品の間に設置され、且つ前後方向において互い違いに配置される第１及び第２の内側挿入連結部品を含む内側挿入連結アセンブリと、バッテリーを格納するようになっており、且つ内側挿入連結アセンブリの内側挿入連結部品と、第１及び第２の外側挿入連結部品のうちの隣接する１つとの間で画定されるチャンバとを含み、前記第１及び第２の外側挿入連結部品には、各々、摺動レール構造を介して第１及び第２の内側挿入連結部品が装着される。
【０００７】
幾つかの実施形態では、複数の内側挿入連結アセンブリが、前記第１及び第２の外側挿入連結部品の間に設置され、前記チャンバは、更に、隣接する内側挿入連結アセンブリ間で画定され、隣接する内側挿入連結部品は、摺動レール構造を介して互いに装着される。
【０００８】
幾つかの実施形態では、前記第１及び第２の外側挿入連結部品は、各々、摺動溝又は摺動ブロックを有し、前記第１及び第２の内側挿入連結部品は、各々、その左側に摺動溝及びその右側に摺動ブロックを有し、前記内側挿入連結部品の前記摺動溝に、前記外側挿入連結部品の摺動ブロック又は隣接する内側挿入連結部品の摺動ブロックが装着されるようになっている。
【０００９】
幾つかの実施形態では、外側挿入連結部品は、第１の板セグメント及び第２の板セグメントを有する外側側板と、前記外側側板の第１の板セグメントに設置される挿入連結フレームとを含み、前記外側挿入連結部品に隣接する内側挿入連結アセンブリの第１の内側挿入連結部品は、前記外側側板の前記第２の板セグメントに連結され且つ挿入連結フレームに対向し、前記外側挿入連結部品に隣接する内側挿入連結アセンブリの第２の内側挿入連結部品は、前記挿入連結フレームの前記外側側板から遠い側に連結される。
【００１０】
幾つかの実施形態では、挿入連結フレームは、外側側板の上部に連結され且つ前記外側側板に対して垂直である外側上板と、外側側板の第１の板セグメントの第２の板セグメントから遠い端部に連結され且つ前記外側側板に対して垂直である外側端板と、外側側板の底部に連結され、前記外側側板に対して垂直であり、且つ外側上板に対向する外側底板とを含む。
【００１１】
幾つかの実施形態では、外側上板及び外側底板は、各々、外側側板から遠い側に摺動溝又は摺動ブロックを有し、前記摺動溝又は摺動ブロックに、外側挿入連結部品に隣接する内側挿入連結アセンブリの第２の内側挿入連結部品が装着されるようになっている。
【００１２】
幾つかの実施形態では、外側上板及び外側底板は、各々、外側側板から遠い側に摺動溝を有し、前記摺動溝に、外側挿入連結部品に隣接する内側挿入連結アセンブリの第２の内側挿入連結部品が装着されるようになっており、前記外側上板の摺動溝は、前記外側底板の摺動溝が開口している第２の方向とは反対の第１の方向に開口している。
【００１３】
幾つかの実施形態では、外側側板の第２の板セグメントは、それぞれ、その上部及び底部に摺動溝又は摺動ブロックを有し、前記摺動溝又は摺動ブロックに、外側挿入連結部品に隣接する内側挿入連結アセンブリの第１の内側挿入連結部品が装着されるようになっている。
【００１４】
幾つかの実施形態では、外側側板の第２の板セグメントは、それぞれ、その上部及び底部に摺動ブロックを有し、前記摺動ブロックに、外側挿入連結部品に隣接する内側挿入連結アセンブリの第１の内側挿入連結部品が装着されるようになっており、前記第２の板セグメントの上部における摺動ブロックは、前記第２の板セグメントの底部における摺動ブロックの延在方向とは反対の延在方向を有する。
【００１５】
幾つかの実施形態では、外側端板は、前記外側端板を貫通する第１の抽出孔を画定する。
【００１６】
幾つかの実施形態では、内側挿入連結部品は、その左側に摺動溝を有し、その右側に摺動ブロックを有する内側上板であって、前記摺動溝及び摺動ブロックに、それぞれ外側挿入連結部品又は隣接する内側挿入連結部品が装着されるようになっている内側上板と；前記内側上板の前端又は後端に設置され且つ前記内側上板に対して垂直である内側端板と；前記内側端板の下端に設置され且つ前記内側端板に対して垂直である内側底板であって、その左側に摺動溝を有し、その右側に摺動ブロックを有し、前記摺動溝及び摺動ブロックに、外側挿入連結部品又は隣接する内側挿入連結部品が装着されるようになっている内側底板と；前記内側上板の左側又は右側に設置され、前記内側上板に対して垂直であり、且つ前記内側端板及び前記内側底板に連結される内側バッフル板とを含む。
【００１７】
幾つかの実施形態では、内側上板の摺動ブロックの延在方向は、内側底板の摺動ブロックの延在方向とは反対であり、前記内側上板の摺動溝は、前記内側底板の摺動溝が開口している第２の方向とは反対の第１の方向に開口している。
【００１８】
幾つかの実施形態では、内側端板は、前記内側端板を貫通する第２の抽出孔を画定する。
【００１９】
幾つかの実施形態では、内側バッフル板は、内側端板から離れる方向に開口しているノッチを画定する。
【００２０】
幾つかの実施形態では、バッテリー格納装置は、複数の保護カバーを更に含み、前記保護カバーは、その内側端板に隣接する内側挿入連結部品の端部及び／又はその外側端板に隣接する外側挿入連結部品の端部に設置される。
【００２１】
幾つかの実施形態では、内側挿入連結部品の内側上板又は外側挿入連結部品の外側上板は、スロットを画定し、保護カバーは、前記スロットに収まるようになっているスナップ部品をその上端に有し、外側端板又は内側端板が装着されるようになっているフランジをその下端に有する。
【００２２】
幾つかの実施形態では、外側挿入連結部品の端部に設置される保護カバーは、前記外側挿入連結部品の最外側に装着されるようになっている第１のパッケージ縁部を有する。
【００２３】
幾つかの実施形態では、バッテリー格納装置は、取付アセンブリを更に含み、前記取付アセンブリは、外側挿入連結部品をそれに隣接する内側挿入連結部品に連結するか、又は隣接する内側挿入連結部品同士を互いに連結するようになっている。
【００２４】
幾つかの実施形態では、前記取付アセンブリは、外側挿入連結部品を前記外側挿入連結部品に隣接する前記内側挿入連結アセンブリの第１の内側挿入連結部品に連結するようになっている第１の取付部品と、４つの隣接する内側挿入連結部品を連結する、又は隣接する３つの内側挿入連結部品と１つの外側挿入連結部品とを連結するようになっている第２の取付部品とを含む。
【００２５】
幾つかの実施形態では、第１の取付部品は、第１のスナップ部を含み、外側挿入連結部品の外側上板、前記外側挿入連結部品の外側底板、前記外側挿入連結部品に隣接する内側挿入連結アセンブリの第１の内側挿入連結部品の内側上板及び内側底板は、各々、前記第１のスナップ部が装着されるようになっている第１のスナップ開口部を画定する。
【００２６】
幾つかの実施形態では、第１の取付部品は、外側側板が装着されるようになっている第２のパッケージ縁部を有する。
【００２７】
幾つかの実施形態では、第２の取付部品は、第２のスナップ部を含み、内側上板、内側底板、外側上板、及び外側底板は、各々、第２のスナップ部が装着されるようになっているスナップ開口部を有する。
【００２８】
本開示の実施形態に係るバッテリー格納装置を用いると、第１及び第２の外側挿入連結部品を含む外側挿入連結アセンブリと第１及び第２の内側挿入連結部品を含む内側挿入連結アセンブリとを設置することにより、隣接する内側挿入部品によって、及び内側挿入連結部品と隣接する外側挿入連結部品とによってバッテリーを収納するためのチャンバが画定され、外側挿入連結部品及び内側挿入連結部品は、それぞれ、摺動レール構造を介して隣接する内側挿入連結部品に装着され、前記内側挿入連結部品に着脱可能に連結されるので、実際の要件に従ってバッテリー格納装置のバッテリーの数を容易に拡張することができる。
【００２９】
加えて、外側挿入連結部品及び内側挿入連結部品は、それぞれ、隣接する内側挿入連結部品に着脱可能に連結されるので、バッテリー格納装置の組立及び分解の実行が容易であり、したがって、組立プロセスが簡略化され、その組立効率が改善される。
【００３０】
更に、パワーバッテリーモジュールの拡張性が改善され、パワーバッテリーモジュールの研究開発コストが減少し、パワーバッテリーモジュールの開発にかかる時間が短縮される。
【００３１】
本開示の第２の態様の実施形態は、バッテリーモジュールを提供する。前記バッテリーモジュールは、本開示の上記実施形態に係るバッテリー格納装置と、前記バッテリー格納装置のチャンバ内に格納される少なくとも１つのバッテリーとを含む。
【００３２】
本開示の実施形態の更なる態様及び利点は、一部は以下の説明に記載され、一部は以下の説明から明らかとなり、又は本開示の実施形態の実施から理解されるであろう。
【００３３】
本開示の前述及び他の態様及び利点は、以下の図面と併せることで、以下の説明から明らかとなり、一層容易に理解されるであろう。
【図面の簡単な説明】
【００３４】
【図１】図１は、本開示の実施形態に係るバッテリーモジュールの分解図である。
【図２】図２は、２つの外側挿入連結部品と１つの内側挿入連結アセンブリとの組立関係を示す、本開示の別の実施形態に係るバッテリー格納装置の部分分解図である。
【図３】図３は、１つの外側挿入連結部品と複数の内側挿入連結部品との組立関係を示す、本開示の別の実施形態に係るバッテリー格納装置の部分分解図である。
【図４】図４は、本開示の実施形態に係るバッテリー格納装置の外側挿入連結部品の斜視図である。
【図５】図５は、本開示の実施形態に係るバッテリー格納装置の内側挿入連結部品の斜視図である。
【図６】図６は、本開示の実施形態に係るバッテリー格納装置の外側挿入連結部品の末端に設置される保護カバーの斜視図である。
【図７】図７は、本開示の実施形態に係るバッテリー格納装置の２つの隣接する内側挿入連結アセンブリの２つの内側挿入連結部品の平面図である。
【図８】図８は、第２の取付部品を介して互いに連結されている、図７に示す２つの内側挿入連結部品の概略図である。
【図９】図９は、本開示の実施形態に係るバッテリー格納装置の第１の取付部品のある角度からの斜視図である。
【図１０】図１０は、図９に示す第１の取付部品の別の角度からの斜視図である。
【図１１】図１１は、本開示の実施形態に係るバッテリー格納装置の第２の取付部品のある角度からの斜視図である。
【図１２】図１２は、図１１に示す第２の取付部品の別の角度からの斜視図である。
【発明を実施するための形態】
【００３５】
本開示の実施形態を詳細に記述する。添付の図面を参照して本明細書に記載する実施形態は、説明及び例示のためのものであり、全体を通して同一の又は類似の参照番号は、同一の若しくは類似の部品又は同一の若しくは類似の機能を有する部品を表す。実施形態は、本開示を一般的に理解するために使用されるものであり、本開示を限定するものと解釈してはならない。
【００３６】
本明細書中において、特段の断り又は限定のない限り、「上」、「下」、「前」、「後」、「左」、「右」、「垂直」、「水平」、「上部」、「底部」、「内側」、「外側」、及びこれらの派生語等の位置又は位置関係を表すために使用する用語は、以下に記載するか又は図面に示す位置又は位置関係を指すものと解釈すべきであることを理解すべきである。これら相対的な用語は、説明の便宜のためのものであり、本開示は特定の位置で構成されたり動作したりする必要はない。更に、「第１」及び「第２」等の用語は、本明細書中では説明の目的で使用されるものであり、相対的な重要性又は意義を示唆又は意味することを意図するものではない。このことから、「第１」及び「第２」によって限定される機構は、その機構の数が１超であることを示唆又は意味し得る。本開示の説明において、特段の断り又は限定のない限り、「複数の」とは、２以上を意味する。
【００３７】
本開示の説明において、特段の断り又は限定のない限り、「固定される」、「取り付けられる」、「連結される」等の用語は、恒久的連結、着脱可能な連結、又は一体的な連結；直接連結又は中間の内部通信若しくは２つの部品間の相互反応を介する間接連結等、広く理解し得ることに留意すべきである。当業者であれば、特定の状況に応じて本開示における特定の意味を理解すべきである。
【００３８】
本開示の第１の態様の実施形態に係るバッテリー格納装置１００について、図１〜１２を参照して以下に説明する。先ず、バッテリー格納装置１００は、バッテリー２００を格納するために用いられ、それによって、バッテリーモジュール１０００が得られることを説明しなければならない。具体的には、本開示の実施形態に係るバッテリー格納装置１００は、外側挿入連結アセンブリ１及び内側挿入連結アセンブリ２を含む。
【００３９】
以下の本開示の説明において、「上下」、「前後」、「左右」、及びこれらの派生語等の方向を表すために用いられる用語は、以下に記載するか又は図面に示す方向を指すものと解釈すべきであることに留意すべきである。これら相対的な用語は、説明の便宜のためのものであり、本開示は特定の位置で構成されたり動作したりする必要はない。
【００４０】
図１及び２に示す通り、外側挿入連結アセンブリ１は、第１の外側挿入連結部品１１及び第２の外側挿入連結部品１２を含み、前記第１及び第２の外側挿入連結部品１１、１２は、左右方向において互いに対向且つ離間している。内側挿入連結アセンブリ２は、左右方向において第１の外側挿入連結部品１１と第２の外側挿入連結部品１２との間に設置されている。内側挿入連結アセンブリ２は、前後方向において互い違いに配置されている第１の内側挿入連結部品２１及び第２の内側部品２２を含む。バッター２００を格納するためのチャンバは、内側挿入連結アセンブリ２の内側挿入連結部品と、第１及び第２の外側挿入連結部品１１、１２のうちの隣接する１つとの間で画定される。更に、第１及び第２の外側挿入連結部品１１、１２には、各々、摺動レール構造を介して第１及び第２の内側挿入連結部品２１、２２が装着される。
【００４１】
本開示の別の実施形態では、図３に示す通り、複数の内側挿入連結アセンブリが、第１の外側挿入連結部品１１と第２の外側挿入連結部品１２との間に設置される。チャンバは、更に、隣接する内側挿入連結アセンブリ間で画定され、バッテリー２００は、チャンバに受容される。更に、隣接する内側挿入連結部品は、摺動レール構造を介して互いに装着される。
【００４２】
本明細書では、「内側挿入連結アセンブリ２の第１及び第２の内側挿入連結部品２１、２２は、前後方向において互い違いに配置されている」とは、図２から分かる通り、前後方向において、内側挿入連結アセンブリ２の第１及び第２の内側挿入連結部品２２、２２が互いに対向しているのではなく、互い違いになっていることを示し得ることを説明しなければならない。
【００４３】
外側挿入連結部品及び内側挿入連結部品は、それぞれ、隣接する内側挿入連結部品に着脱可能に連結される。
【００４４】
本開示の実施形態に係るバッテリー格納装置１００を用いると、第１及び第２の外側挿入連結部品を含む外側挿入連結アセンブリ１と第１及び第２の内側挿入連結部品を含む内側挿入連結アセンブリ２とを設置することにより、隣接する内側挿入部品によって、及び内側挿入連結部品と隣接する外側挿入連結部品とによってバッテリーを収納するためのチャンバが画定され、外側挿入連結部品及び内側挿入連結部品は、それぞれ、摺動レール構造を介して隣接する内側挿入連結部品に装着され、前記内側挿入連結部品に着脱可能に連結されるので、実際の要件に従ってバッテリー格納装置１００のバッテリーの数を容易に拡張することができる。
【００４５】
加えて、外側挿入連結部品及び内側挿入連結部品は、それぞれ、隣接する内側挿入連結部品に着脱可能に連結されるので、バッテリー格納装置１００の組立及び分解の実行が容易であり、したがって、組立プロセスが簡略化され、その組立効率が改善される。
【００４６】
更に、パワーバッテリーモジュール１０００の拡張性が改善され、パワーバッテリーモジュール１０００の研究開発コストが減少し、パワーバッテリーモジュール１０００の開発にかかる時間が短縮される。
【００４７】
幾つかの実施形態では、第１及び第２の外側挿入連結部品１１、１２は、各々、摺動溝３又は摺動ブロック４を有する。第１及び第２の内側挿入連結部品２１、２２は、各々、その左側に摺動溝３を有し、その右側に摺動ブロック４を有する。内側挿入連結部品の摺動溝３に、外側挿入連結部品の摺動ブロック４又は隣接する内側挿入連結部品の摺動ブロック４が装着されるようになっている。言い換えれば、左右方向において、隣接する内側挿入連結部品が摺動溝３及び摺動ブロック４を介して互いに連結されるか、又は外側挿入連結部品と隣接する内側挿入連結部品とが摺動溝３及び摺動ブロック４を介して互いに連結され、ここで、摺動溝３及び摺動ブロック４は、いずれも摺動レール構造の部品である。
【００４８】
摺動溝３は、溝構造であってよく、摺動ブロック４は、摺動ブロック４が摺動溝３内を摺動可能である限り、連続バー構造であってもよく、不連続な突起構造であってもよい。
【００４９】
或いは、互い違いになっている１つの内側挿入連結アセンブリ２の第１の内側挿入連結部品２１と第２の内側挿入連結部品２２と間に連結構造を取り付ける必要がない場合もある。そして、これら内側挿入連結部品は、挿入連結を介して隣接する内側挿入連結部品又は外側挿入連結部品に連結されてよく、それによって、内側挿入連結アセンブリ２の第１及び第２の内側挿入連結部品２１、２２の構造が簡略化され、その組立及び分解が容易に実行される。
【００５０】
本開示の実施形態に係るバッテリー格納装置１００の外側挿入連結部品について、図１〜４を参照して以下に説明する。図１〜４に示す通り、外側挿入連結部品は、外側側板１１１及び挿入連結フレーム１１２を含む。
【００５１】
外側側板１１１は、板状である。外側挿入連結部品の外側側板１１１は、図１に示す通り、バッテリー格納装置１００の最外側に設置され、第１の外側挿入連結部品１１の外側側板１１１は、バッテリー格納装置１００の左端に設置され、第２の外側挿入連結部品１２の他の外側側板１１１は、バッテリー格納装置１００の右端に設置される。
【００５２】
外側側板１１１は、第１の板セグメント１１１１及び第２の板セグメント１１１２を含み、挿入連結フレーム１１２は、外側側板１１１の第１の板セグメント１１１１に設置される。外側挿入連結部品に隣接する内側挿入連結アセンブリ２の第１の内側挿入連結部品２１は、外側側板１１１の第２の板セグメント１１１２に連結され且つ挿入連結フレーム１１２に対向する。或いは、外側挿入連結部品に隣接する内側挿入連結アセンブリ２の第１の内側挿入連結部品２１は、摺動溝３及び摺動ブロック４を介して外側側板１１１の第２の板セグメント１１１２に連結される。外側挿入連結部品に隣接する内側挿入連結アセンブリ２の第２の内側挿入連結部品２２は、挿入連結フレーム１１２の外側側板から遠い側に連結される。或いは、外側挿入連結部品に隣接する内側挿入連結アセンブリ２の第２の内側挿入連結部品２２は、摺動溝３及び摺動ブロック４を介して挿入連結フレーム１１２に連結される。
【００５３】
幾つかの実施形態では、図２に示す通り、チャンバは、第１の外側挿入連結部品１１と、第１の外側挿入連結部品１１の第２の板セグメント１１１２に連結されている第１の内側挿入連結部品２１との間で画定され得る。即ち、２つのチャンバは、２つの外側挿入連結部品と２つの内側挿入連結部品との間で画定され得、それによって、２つのバッテリー２００がこれら２つのチャンバに受容され得る。複数の内側挿入連結アセンブリ２が提供される場合、バッテリー格納装置１００は、より多くのバッテリー２００を格納することができ、これによって、バッテリーモジュール１０００の拡張の要件が満たされ、バッテリー格納装置１００の組立及び分解が容易になることを理解すべきである。
【００５４】
更に、挿入連結フレーム１１２は、外側上板１１２１と、外側端板１１２２と、外側底板１１２３とを含む。外側上板１１２１は、外側側板１１１の上部に連結され（即ち、図２及び４における外側側板１１１の上方部）且つ前記外側側板に対して垂直であり、外側端板１１２２は、外側側板１１１の第１の板セグメント１１１１の第２の板セグメント１１１２から遠い端部に連結され且つ前記外側側板に対して垂直であり、外側底板１１２３は、外側側板１１１の底部に連結され、前記外側側板に対して垂直であり、且つ外側上板１１２１に対向する。言い換えれば、図４に示す通り、挿入連結フレーム１１２の外側上板１１２１は、外側側板１１１の第１の板セグメント１１１１の上部に垂直に連結される。挿入連結フレーム１１２の外側底板１１２３は、外側側板１１１の第１の板セグメント１１１１の底部と垂直に連結され且つ外側上板１１２１に対向している。外側端板１１２２は、外側側板１１１の第２の板セグメント１１１２から遠い端部に垂直に連結され、外側端板１１２２の上端は、外側上板１１２１に連結され、外側端板１１２２の下端は、外側底板１１２３に連結される。
【００５５】
或いは、幾つかの実施形態では、外側上板１１２１及び外側底板１１２３は、各々、その外側側板１１１から遠い側に摺動溝３又は摺動ブロックを有していてよく、摺動溝３又は摺動ブロック４に、外側挿入連結部品に隣接する内側挿入連結アセンブリ２の第２の内側挿入連結部品２２が装着されるようになっている。図４に示す通り、外側上板１１２１及び外側底板１１２３は、各々、その外側側板１１１から遠い側に摺動溝を有し、摺動溝３は、外側挿入連結部品に隣接する内側挿入連結アセンブリ２の第２の内側挿入連結部品２２に装着されるようになっており、外側上板１１２１の摺動溝３は、外側底板１１２３の摺動溝３が開口している第２の方向とは反対の第１の方向に開口している。１つの実施形態では、図４に示す通り、外側上板１１２１の摺動溝３は上向き方向に開口しており、一方、外側底板１１２３の摺動溝３は下向き方向に開口している。
【００５６】
したがって、外側挿入連結部品の挿入連結フレーム１１２に装着される第２の内側挿入連結部品２２は、その対応する位置に摺動ブロック４を有し、第２の内側挿入連結部品２２の摺動ブロック４は、挿入連結フレーム１１２の摺動溝３（即ち、外側上板１１２１及び外側底板１１２３の摺動溝３）に収まるようになっている。
【００５７】
幾つかの実施形態では、外側挿入連結部品及び隣接する内側挿入連結部品は、これらを組み立てるために前後方向において互いに対して移動し得る、即ち、第２の内側挿入連結部品２２は、第２の内側挿入連結部品２２が外側挿入連結部品に完全に取り付けられるまで前記外側挿入連結部品の摺動溝３内をそれに沿って前記第２の内側挿入連結部品の摺動ブロック４を移動させることによって移動し得、次いで、移動を停止する。好ましくは、摺動溝３は、前後方向において貫通構造として構成してよく、これによって、外側挿入連結部品及び隣接する内側挿入連結部品の取付けが更に容易になるので、前後方向の挿入連結を介して内側挿入連結部品を外側挿入連結部品に取り付けることができる。
【００５８】
幾つかの実施形態では、外側側板１１１の第２の板セグメント１１１２は、それぞれ、その上部及び底部に摺動溝３又は摺動ブロック４を有し、摺動溝３又は摺動ブロック４に、外側挿入連結に隣接する内側挿入連結アセンブリ２の第１の内側挿入連結部品２１が装着されるようになっている。図４に示す通り、外側側板１１１の第２の板セグメント１１１２は、それぞれ、その上部及び底部に摺動ブロック４を有し、摺動ブロック４に、外側挿入連結部品に隣接する内側挿入連結アセンブリ２の第１の内側挿入連結部品２１が装着されるようになっており、第２の板セグメント１１１２の上部における摺動ブロック４は、第２の板セグメント１１１２の底部における摺動ブロック４の延在方向とは反対の延在方向を有する。即ち、図４に示す通り、第２の部分１１１２の上部における摺動ブロック４は、下向き延在方向を有し、一方、第２の部分１１１２の底部における摺動ブロック４は、上向き延在方向を有する。
【００５９】
したがって、外側挿入連結部品の第２の板セグメント１１１２に装着される第１の内側挿入連結部品２１は、その対応する位置に摺動溝３を有し、その結果、第１の内側挿入連結部品２１を、挿入連結を介して第２の板セグメント１１１２に装着することができる。
【００６０】
幾つかの実施形態では、外側端板１１２２は、前記外側端板を貫通する第１の抽出孔１１２４を有する。バッテリー２００がバッテリー格納装置１００のチャンバ内に受容されるとき、バッテリー２００を電気接続させるために第１の抽出孔１１２４を通してバッテリー格納装置１００のチャンバからバッテリー２００の電極端子を伸ばしてよいことを説明しなければならない。或いは、バッテリーモジュール１０００は、バッテリー２００を接続するために用いられる複数の接続部材９を更に含む。即ち、バッテリー２００は、接続部材９によって互いに直列に又は並列に接続され得る。
【００６１】
本開示の幾つかの実施形態では、バッテリー格納装置１００は、複数の保護カバー５を更に含み、保護カバー５は、その外側端板に隣接する外側挿入連結部品の端部に設置される。図１に示す通り、保護カバー５は、外側挿入連結部品に設置され、外側端板１１２２をふさぐ。上述の通り、外側端板１１２２に第１の抽出孔１１２４が形成されているので、保護カバー５は、第１の抽出孔１１２４から伸びるバッテリー２００の電極端子を保護することができる。
【００６２】
幾つかの実施形態では、保護カバーは、カバー本体５１を含み、カバー本体５１は、板状である。外側挿入連結部品の外側上板１１２１は、スロット６を画定し、保護カバー５は、スロット６に収まるようになっているスナップ部品５２をその上端（即ち、カバー板５１の上端）に有し、その結果、保護カバー５を外側挿入連結部品に着脱可能に取り付けることができるので、その取付け及び分解が容易になる。
【００６３】
幾つかの実施形態では、外側挿入連結部品の端部に設置される保護カバー５は、図６に示す通り、外側挿入連結部品の最外側に装着されるようになっている第１のパッケージ縁部５３を有し、それによって、第１のパッケージ縁部５３は、第１のパッケージ縁部５３を通してバッテリー格納装置１００の最外側を保護することができる。更に、保護カバー５は、外側端板１１２２又は内側端板２１２に装着されるようになっているフランジ５４をその下端に有し、それによって、保護カバー５の取付けがより安定し得る。
【００６４】
第１及び第２の外側挿入連結部品１１、１２の構造は互いに同一であるが、第１及び第２の外側挿入連結部品１１、１２を組み立てるときに、その組立方向が反対であることに留意すべきである。図１及び２に示す通り、第１の外側挿入連結部品１１は、左側に設置され、第１の外側挿入連結部品１１の挿入連結フレーム１１２は、外側側板１１１の第２の板セグメント１１１２の前側に設置されるが、一方、第２の外側挿入連結部品１２は、右側に設置され、第２の外側挿入連結部品１２の挿入連結フレーム１１２は、外側側板１１１の第２の板セグメント１１１２の後側に設置され、これによって、バッテリー格納装置１００の製造プロセスが簡略化され、製造の困難さが低減される。
【００６５】
本開示の実施形態に係るバッテリー格納装置の内側挿入連結部品について図１〜３及び５を参照して以下に説明する。図１〜３及び５に示す通り、内側挿入連結部品は、内側上板２１１、内側端板２１２、内側底板２１３、及び内側バッフル板２１４を含む。
【００６６】
図５に示す通り、内側上板２１１は、その左側に摺動溝３を有し、その右側に摺動ブロック４を有し、摺動溝３及び摺動ブロック４には、それぞれ、外側挿入連結部品又は隣接する内側挿入連結部品が装着されるようになっている。内側底板２１３は、内側上板２１１の下方に設置され、内側上板２１１に対応する。また、内側底板２１３も、その左側に摺動溝３を有し、その右側に摺動ブロック４を有し、摺動溝３及び摺動ブロック４には、外側挿入連結部品又は隣接する内側挿入連結部品が装着されるようになっている。内側端板２１２は、内側上板２１１の前端又は後端に設置され且つ前記内側上板に対して垂直である。１つの実施形態では、図５に示す通り、内側端板２１２は、内側上板２１１の前端に設置され且つ前記内側上板に対して垂直である。内側底板２１３は、端板２１２の下端に連結され且つ前記端板に対して垂直である。
【００６７】
内側バッフル板２１４は、内側上板２１１の左側又は右側に設置され、前記内側上板に対して垂直であり、且つ内側端板２１２及び内側底板２１３の両方に連結されている。１つの実施形態では、図５に示す通り、内側バッフル板２１４は、内側上板２１１の左側に設置される。即ち、内側バッフル板２１４は、内側上板２１１の左端に連結される上端と、内側底板２１３の左端に連結される下端とを有し、内側バッフル板２１４は、更に、内側端板２１２の左端に連結される前端を有する。
【００６８】
図５に示す通り、内側上板２１１の摺動ブロック４の延在方向は、内側底板２１３の摺動ブロック４の延在方向とは反対であり、内側上板２１１の摺動溝３は、内側底板２１３の摺動溝３が開口している第２の方向とは反対の第１の方向に開口している。
【００６９】
幾つかの実施形態では、内側バッフル板２１４は、ノッチ２１４１を有し、ノッチ２１４１は、内側端板２１２から離れる方向に開口している。このように、同一の内側挿入連結アセンブリ２に属している第１及び第２の内側挿入連結部品２１、２２のノッチ２１４１は、図２に示す通りノッチ２１４１が互いに対向して配置されたとき、完全貫通孔を形成し得る。したがって、貫通孔を通して換気及び放熱することによってバッテリー格納装置１００のチャンバに受容されたバッテリー２００を冷却することができる。好ましくは、同一の内側挿入連結アセンブリ２の第１及び第２の内側挿入連結部品２１、２２のノッチ２１４１によって貫通孔が形成される位置に絶縁板を設置してもよく、その結果、隣接するバッテリー２００間の効率的な絶縁を確保することができ、それによって、その安全性が改善する。
【００７０】
全ての内側挿入連結部品の構造は互いに同一であることに留意すべきである。好ましい実施形態では、各内側挿入連結部品は、それぞれ、左側に摺動溝３を有し、右側に摺動ブロック４を有し、その結果、バッテリー格納装置１００を組み立てるとき、隣接する内側挿入連結部品を互いに合理的に連結し、装着することができるか、又は外側挿入連結部品を隣接する内側挿入連結部品と合理的に連結し、装着することができる。
【００７１】
幾つかの実施形態では、同一の内側挿入連結アセンブリ２の第１及び第２の内側挿入連結部品２１、２２は、反対方向に取り付けられる。図２に示す通り、第１及び第２の内側挿入連結部品２１、２２は、前後方向において互い違いに配置され、前側に設置されている第２の内側挿入連結部品２２の内側端板２１２は、前を向いており、後側に設置されている第１の内側挿入連結部品２１の内側端板２１２は、後ろを向いている。隣接する内側挿入アセンブリ２は、摺動溝３及び摺動ブロック４を通して互いに連結することができるので、バッテリー格納装置１００の製造プロセスが簡略化され、製造の困難さが低減される。
【００７２】
或いは、内側端板２１２は、前記内側端板を貫通する第２の抽出孔２１２１を有する。そして、バッテリー２００間を直列又は並列に接続するために、第２の抽出孔２１２１に形成される第２の抽出孔２１２１を通じてバッテリー格納装置１００のチャンバからバッテリー２００の電極端子を伸ばすことができる。
【００７３】
同様に、保護カバー５も、その内側端板２１２に隣接する内側挿入連結部品の端部に設置してよい。また、保護カバー５は、第２の抽出孔２１２１を通じて伸ばすことができるバッテリー２００の電極端子を保護することができる。
【００７４】
幾つかの実施形態では、バッテリー格納装置１００は、取付アセンブリ７を更に含み、これは、外側挿入連結部品を隣接する内側挿入連結部品と連結するか、又は隣接する内側挿入連結部品同士を互いに連結するために用いられる。取付アセンブリ７２を設置することによって、外側挿入連結部品と隣接する内側挿入連結部品との連結安定性及び隣接する内側挿入連結部品同士の連結安定性の両方が更に改善される。
【００７５】
幾つかの実施形態では、図１に示す通り、取付アセンブリ７は、第１の取付部品７１及び第２の取付部品ボタン７２を含む。第１の取付部品７１は、外側挿入連結部品を、前記外側挿入連結部品に隣接する内側挿入連結アセンブリ２の第１の内側挿入連結部品２１に連結するために用いられる。第２の取付部品７２は、４つの隣接する内側挿入連結部品を連結する、又は隣接する３つの内側挿入連結部品と１つの外側挿入連結部品とを連結するために用いられる。即ち、第１の取付部品７１は、バッテリー格納装置１００の左端又は右端に設置される外側挿入連結部品を、この外側挿入連結部品に隣接する内側挿入連結アセンブリ２の第１の内側挿入連結部品に連結するために用いられ、第２の取付部品７２は、バッテリー格納装置１００の内部に設置される４つの内側挿入連結部品を連結する、又はバッテリー格納装置１００の左端又は右端に設置される外側挿入連結部品と３つの内側挿入連結部品とを連結するために用いられ、ここで、３つの内側挿入連結部品及び外側挿入連結部品は互いに隣接している。
【００７６】
或いは、第１の取付部品７１及び第２の取付部品７２は、内側挿入連結部品及び外側挿入連結部品の底面及び／又は上面に設置してもよい。好ましくは、第２の取付部品７２は、それぞれ、内側挿入連結部品及び外側挿入連結部品の底面及び上面に設置してよく、これによって、バッテリー格納装置１００の構造がより安定になる。
【００７７】
例えば、本開示の以下の記載では、第２の取付部品７２は、それぞれ、内側挿入連結部品及び外側挿入連結部品の底面及び上面に設置される。しかし、当業者は、第２の取付部品７２が内側挿入連結部品及び外側挿入連結部品の底面又は上面にだけ設置されていてもよく、これも本開示の保護範囲内であることを理解すべきである。
【００７８】
図７は、本開示の実施形態に係るバッテリー格納装置１００の２つの隣接する内側挿入アセンブリ２の２つの内側挿入連結部品の平面図である。図８は、第２の取付部品７２を介して互いに連結されている、図７に示す２つの内側挿入連結部品の概略図である。
【００７９】
幾つかの実施形態では、図９及び１０に示す通り、第１の取付部品７１は、実質的に板状である。そして、第１の取付部品７１は、第１のスナップ部７１１を含み、外側挿入連結部品の外側上板１１２１、外側挿入連結部品の外側底板１１２３、外側挿入連結部品に隣接する内側挿入連結アセンブリの第１の内側挿入連結部品２１の内側上板２１２及び内側底板２１３は、各々、第１のスナップ部７１１が装着されるようになっている第１のスナップ開口部８を画定する。したがって、第１の取付部品７１の取付けがより便利になる。
【００８０】
更に、第１の取付部品７１は、外側側板１１１が装着されるようになっている第２のパッケージ縁部７１２を有する。したがって、バッテリー格納装置１００の最外側は、第２のパッケージ縁部７１２によって保護される。
【００８１】
図１１及び１２に示す通り、第２の取付部品７２は、実質的に板状である。第２の取付部品７２は、第２のスナップ部７２１を含み、内側上板２１１、内側底板２１３、外側上板１１２１、及び外側底板１１２３は、各々、第２のスナップ部７２１が装着されるようになっているスナップ開口部８を有する。したがって、第２の取付部品７２の取付けがより便利になる。
【００８２】
幾つかの実施形態では、第２の取付部品７２は、図８に示す通り、板状であり、その結果、４つの隣接する内側挿入連結部品２１、又は４つの隣接する内側挿入連結部品と外側挿入連結部品とを第２の取付部品７２によって連結することができるので、構造が単純になる。
【００８３】
好ましい実施形態では、第２の取付部品７２は、内側挿入連結部品又は外側挿入連結部品に隣接する表面上に挿入部７２２を有する。挿入部７２２の構造は、スナップ開口部８の構造と一致している。したがって、挿入部７２２をスナップ開口部８に挿入してもよく、それによって、第２の取付部品７２と内側挿入連結部品又は外側挿入連結部品との間の連結がより安定になる。有利なことに、複数の挿入部７２２及びスナップ開口部８が存在し得るので、その結果、その連結安定性を更に改善することができる。
【００８４】
本開示の第２の態様の実施形態に係るバッテリーモジュール１０００が提供される。バッテリーモジュール１０００は、本開示の第１の態様の上記実施形態に係るバッテリー格納装置１００と、前記バッテリー格納装置１００のチャンバ内に格納される少なくとも１つのバッテリー２００とを含む。上述の通り、バッテリー格納装置１００の組立及び分解が容易に実行されるので、組立プロセスが簡略化され、組立効率が改善され、バッテリーモジュール１０００の拡張性が改善され、バッテリーモジュール１０００の研究開発コストが低減され、バッテリーモジュール１０００の開発にかかる時間が短縮される。
【００８５】
本明細書を通じて、「ある実施形態」、「幾つかの実施形態」、「１つの実施形態」、「別の例」、「一例」、「具体例」、又は「幾つかの例」に対する言及は、その実施形態又は例に関して説明される特定の機構、構造、材料、又は特徴が、本開示の少なくとも１つの実施形態又は例に含まれることを意味する。したがって、本明細書を通じて、様々な箇所における、「幾つかの実施形態では」、「１つの実施形態では」、「ある実施形態では」、「別の例では」、「一例では」、「具体例では」、又は「幾つかの例では」等の表現の出現は、必ずしも本開示の同一の実施形態又は例に言及するものではない。更に、特定の機構、構造、材料、又は特徴は、１以上の実施形態又は例において任意の好適な様式で組み合わせることができる。
【００８６】
説明のための実施形態を示して説明したが、実施形態において、本開示の精神及び原理から逸脱することなく特許請求の範囲及びその均等物の範囲内の全ての変更、代替、及び修正がなされ得ることが、当業者には理解されるであろう。
【図１】
0006469216.tif 000002
【図２】
0006469216.tif 000003
【図３】
0006469216.tif 000004
【図４】
0006469216.tif 000005
【図５】
0006469216.tif 000006
【図６】
0006469216.tif 000007
【図７】
0006469216.tif 000008
【図８】
0006469216.tif 000009
【図９】
0006469216.tif 000010
【図１０】
0006469216.tif 000011
【図１１】
0006469216.tif 000012
【図１２】
0006469216.tif 000013